(57)【要約】【課題】  工事現場に存在する水槽、またはリースなどにより入手容易な水槽を活用して、使用済の安定液より砂を分離する砂分離装置を提供する。【解決手段】  底板11およびこの底板11の縁に立設された２本の柱部材12よりなる架台の下半体10と、３本のチャンネル部材21、22、23を下向きに開いたコ字形に形成し、この２組のコ字形を平行に配置して桟25、26で結合した架台の上半体20と、下半体10の底板11に固定される水中ポンプ４と、上半体20に固定される液体サイクロン３と、下半体10の２本の柱部材12に対して上半体20を高さを調整して結合することにより架台１を形成する手段とを具備し、下半体10、水中ポンプ４、上半体20、液体サイクロン３を作業現場の使用済の安定液を貯留する水槽５の深さに合わせて組み立てて使用する。【選択図】  図１
2014118672.tif 000002
【特許請求の範囲】
【請求項１】
底板および該底板の縁に立設された２本の柱部材よりなる架台の下半体と、
３本のチャンネル部材を下向きに開いたコ字形に形成した２組を平行に配置して桟で結合した架台の上半体と、
上記下半体の底板に固定される水中ポンプと、
上記上半体に固定される液体サイクロンと、
上記下半体の２本の柱部材に対して上記上半体を高さを調整して結合することにより架台を形成する手段とを具備し、
上記下半体、水中ポンプ、上半体、液体サイクロンを作業現場の使用済の安定液を貯留する水槽の深さに合わせて組み立てることを特徴とする砂分離装置。
【発明の詳細な説明】
【技術分野】
【０００１】
この発明は、建築、土木工事における現場築造杭、地中連続壁等で使用された砂分が多いベントナイト安定液等の粘土を含む水（以下「使用済の安定液」という。）から、砂を分離する砂分離装置に関する。
【背景技術】
【０００２】
使用済の安定液を取り扱う建築や土木工事においては、使用される多くの機械や設備が大型でしかも大重量であるから、現場の作業スペースが狭い場合には、同時に遂行する鉄筋組立て等の他の作業スペースと重複する。そのために、複数の作業が、相互に支障となり、作業性が低下し、省力化、省エネルギー、コストなどの点から見ても問題であった。
【０００３】
従来の使用済の安定液から砂を分離する装置は、水槽の上部に砂を分離する液体サイクロンを設け、この液体サイクロンの下方に受樋を設け、この受樋の最低部付近に砂排出管を設け、水槽の下部および底部にそれぞれテーパー面およびピットを設け、水槽の底部に水中ポンプを設けた砂分離装置が、下記特許文献１に開示されている。
【先行技術文献】
【特許文献】
【０００４】
【特許文献１】特開平８−１３１７１４号公報
【発明の概要】
【発明が解決しようとする課題】
【０００５】
このような従来の砂分離装置は、水槽と、この水槽の上部に設けられた液体サイクロンと、水中ポンプなどを予め組み立てた状態で各工事現場へ運搬され、据え付けて使用している。なお、水中ポンプは、水槽に入れられた砂分が多い処理前の安定液を液体サイクロンへ圧送するするために使用される。
【０００６】
水槽は、大型トラックで運搬可能な大きさと重量に製作され、寸法は、幅２.３ｍ、高さ２.５ｍ、長さ８.４ｍで、重量は、約１０ｔｏｎである。このような寸法および重量は、すべての工事現場に適用できるものではなかった。
【０００７】
そこで、この発明の砂分離装置は、工事現場に存在する水槽、またはリースなどにより入手容易な水槽を活用して、使用済の安定液より砂を分離するために考えられたものでる。
【課題を解決するための手段】
【０００８】
この発明の砂分離装置は、底板および該底板の縁に立設された２本の柱部材よりなる架台の下半体と、３本のチャンネル部材を下向きに開いたコ字形に形成した２組を平行に配置して桟で結合した架台の上半体と、上記下半体の底板に固定される水中ポンプと、上記上半体に固定される液体サイクロンと、上記下半体の２本の柱部材に対して上記上半体を高さを調整して結合することにより架台を形成する手段とを具備し、上記下半体、水中ポンプ、上半体、液体サイクロンを作業現場の使用済の安定液を貯留する水槽の深さに合わせて組み立てるように構成したものである。
【発明の効果】
【０００９】
この発明の砂分離装置によると、工事現場の規模や状況に対応する水槽を選択し、この選択された各種の水槽の大きさおよび形状に合わせて、上半体および下半体よりなる架台、液体サイクロン、水中ポンプを工事現場で組立てるように構成されているので、水槽のどの位置にでも設置することができる。また、砂分離装置を分解した状態で運送できるので、嵩張ることなく大型車両を必要としない。
【００１０】
１セットの砂分離装置では能力が不足する場合には、水槽のどの位置にでも複数セットの砂分離装置を追加して設置して使用することができる。
【図面の簡単な説明】
【００１１】
【図１】この発明の砂分離装置の実施形態を示す側面図、
【図２】この実施形態を示す正面図、
【図３】この実施形態を示す平面図、
【図４】この実施形態において使用する架台の側面図、
【図５】この実施形態を組み立てる途中の状態を示す側面図である。
【発明を実施するための形態】
【００１２】
この発明の砂分離装置は、図４の側面図に示すように、下半体10および上半体20よりなる架台と、図５の側面図に示すように、架台１の下半体10に固定される水中ポンプ４と、架台１の上半体20に固定される液体サイクロン３とにより構成される。
【００１３】
図４の側面図に示すように、架台の下半体10は、水中ポンプ４を載せて固定する鉄板よりなる底板11と、この底板11の縁に立設されたＬ型チャンネル部材よりなる２本の柱部材12と、底板11と柱部材12との間に斜めに設けた補強材14とにより構成される。
【００１４】
架台の下半体10の２本の柱部材12の上部には、ボルトを挿通する複数の孔13が等間隔にそれぞれ開けられている。
【００１５】
架台の上半体20は、図４の側面図に示すように、３本のＬ型チャンネル部材21、22、23を下向きに開いたコ字形に組み立てたものを２組用意し、この２組を平行に配置して桟25、26（図３参照）で結合したものであって、水槽５（図１参照）の側壁51を跨がるように配置されるものである。
【００１６】
この上半体20の水槽５の内側に配置されるチャンネル部材21の下部にもボルトを挿通する複数の孔24が等間隔にそれぞれ開けられており、下半体10の柱部材12に開けた孔13と位置合わせしてボルトを挿通し、上半体20を所望の高さに設定してナットを締め付けて固定することにより架台を形成する。
【００１７】
上半体20の頂部には、図３の平面図に示すように、Ｌ型チャンネル部材22とＬ型チャンネル部材25、26よりなる長方形の枠が形成されており、Ｌ型チャンネル部材26には、液体サイクロン３を挿し込む２つの切欠き27をあけた鉄板28が固定されている。この鉄板28と上半体20のチャンネル部材23の間に斜めに補強材29が設けられている。
【００１８】
この鉄板28の２つの切欠き27に、２本の液体サイクロン３をそれぞれ嵌め込んで固定する。液体サイクロン３は、使用済の安定液を流入口31より円筒型胴部に接線方向に流入させ、回転流により生じる遠心力を利用して、固体粒子（砂）を速やかに沈降させて流体から分離する装置である。この発明においては、２本の液体サイクロン３を左右対称に配置して使用している。
【００１９】
液体サイクロン３によって分離された固体粒子は、下の砂吐出口32から排出され、固体粒子を除いた安定液は、上の吐出口33から排出されて繰り返し利用される。
【００２０】
以上で説明した構成の砂分離装置を工事現場に設置して使用する手順を説明する。
【００２１】
作業現場のスペースに合わせた使用済の安定液を貯留する長方形の水槽５（図１参照）を用意する。図５の側面図に示すように、この水槽５の内壁面51に近い位置の底面に、水中ポンプ４を固定した下半体10を据え付ける。
【００２２】
予め２本の液体サイクロン３を連結して固定した上半体20を吊り下げて、下半体10の上まて移動させて、下半体10の柱部材12と上半体20のチャンネル部材21とを、水槽５の深さに合わせて、上半体20を所望の高さに設定する。
【００２３】
そして、図１に示すように、下半体10の柱部材12の孔13と上半体20のチャンネル部材21の孔24にボルトを挿通して、ナットを締めて下半体10と上半体20を固定して所望高さの架台１を形成する。
【００２４】
水中ポンプ４の吐出口41と液体サイクロン３の流入口31との間に可撓性のホース２を接続する。
【００２５】
このような組み立てに際して、下半体10および上半体20よりなる架台１が、水槽５に接触すると、水中ポンプ４の振動が水槽５に伝わって騒音を発生することがあるので、接触部分があれば、そこにクッション材を介在させることが望ましい。
【００２６】
現場築造杭や地中連続壁などの工事で使用されて、砂分を多く含むベントナイト安定液等の粘土を含む使用済の安定液を水槽５に入れる。水中ポンプ４を起動すると、未処理の安定液が可撓性のホース２を経て２本の液体サイクロン３の流入口31へ圧送される。
【００２７】
液体サイクロン３において、接線方向に流入して生じた回転流の遠心力により、固体粒子（砂）を速やかに内壁面側へ沈降させて流体から分離し、内壁面に沿って降下させて砂吐出口32から排出させる。一方、砂を分離した安定液は、上側の安定液吐出口33より排出させて繰り返し使用される。
【符号の説明】
【００２８】
１  架台
２  可撓性のホース
３  液体サイクロン
４  水中ポンプ
５  水槽
10  下半体
20  上半体
【図１】
2014118672.tif 000003
【図２】
2014118672.tif 000004
【図３】
2014118672.tif 000005
【図４】
2014118672.tif 000006
【図５】
2014118672.tif 000007